(57)【要約】      （修正有）【課題】利用者による洗濯物の早期回収を促し、冬場の静電気の影響を小さくできるカギが掛けられるコインランドリの洗濯装置を提供する。【解決手段】コインランドリに設置される料金徴収機構２を備え且つ少なくとも乾燥機能を備えた洗濯装置１の洗濯物の出し入れ口を開閉する開閉蓋１１にカギを使用する施錠装置３を設けると共に、当該施錠装置３は、カギを差し込むカギ穴４と、洗濯終了後から一定時間経過後は所定の超過金を支払い且つカギによる解錠操作で開閉蓋１１の施錠状態を解除する超過金解錠機構５と、料金支払い後のカギによる施錠操作で洗濯装置１の電源を入れる施錠電源入力機構と、乾燥時に生じる洗濯装置内の静電気を解錠操作時にカギ穴４に差し込まれる導電性のカギを通じて外部に放出する静電気放出機構とを備えた。【選択図】図１
2008113879.tif 000002
【特許請求の範囲】
【請求項１】
コインランドリに設置されて使用され料金徴収機構を備えた洗濯装置の洗濯物の出し入れ口を開閉する開閉蓋にカギを使用する施錠装置を設けると共に、当該施錠装置は、カギを差し込むカギ穴と、洗濯終了後から一定時間経過後は所定の超過金を支払い且つカギによる解錠操作で開閉蓋の施錠状態を解除する超過金解錠機構とを備えたことを特徴とするコインランドリの洗濯装置。
【請求項２】
コインランドリに設置されて使用され料金徴収機構を備えた洗濯装置の洗濯物の出し入れ口を開閉する開閉蓋にカギを使用する施錠装置を設けると共に、当該施錠装置は、カギを差し込むカギ穴と、洗濯終了後から一定時間経過後は所定の超過金を支払い且つカギによる解錠操作で開閉蓋の施錠状態を解除する超過金解錠機構と、料金支払い後のカギによる施錠操作で洗濯装置の電源を入れる施錠電源入力機構とを備えたことを特徴とするコインランドリの洗濯装置。
【請求項３】
コインランドリに設置されて使用され料金徴収機構を備え且つ少なくとも乾燥機能を備えた洗濯装置の洗濯物の出し入れ口を開閉する開閉蓋にカギを使用する施錠装置を設けると共に、当該施錠装置は、カギを差し込むカギ穴と、洗濯終了後から一定時間経過後は所定の超過金を支払い且つカギによる解錠操作で開閉蓋の施錠状態を解除する超過金解錠機構と、乾燥時に生じる洗濯装置内の静電気をカギによる解錠操作時にカギ穴に差し込まれる導電性のカギを通じて外部に放出する静電気放出機構とを備えたことを特徴とするコインランドリの洗濯装置。
【請求項４】
コインランドリに設置されて使用され料金徴収機構を備え且つ少なくとも乾燥機能を備えた洗濯装置の洗濯物の出し入れ口を開閉する開閉蓋にカギを使用する施錠装置を設けると共に、当該施錠装置は、カギを差し込むカギ穴と、洗濯終了後から一定時間経過後は所定の超過金を支払い且つカギによる解錠操作で開閉蓋の施錠状態を解除する超過金解錠機構と、料金支払い後のカギによる施錠操作で洗濯装置の電源を入れる施錠電源入力機構と、乾燥時に生じる洗濯装置内の静電気をカギによる解錠操作時にカギ穴に差し込まれる導電性のカギを通じて外部に放出する静電気放出機構とを備えたことを特徴とするコインランドリの洗濯装置。
【請求項５】
洗濯装置は乾燥機能のみを備えている請求項３又は請求項４に記載のコインランドリの洗濯装置。
【請求項６】
超過金の金額を表示する超過金表示部が設けられている請求項１〜請求項５の何れかに記載のコインランドリの洗濯装置。
【請求項７】
超過時間を表示する超過時間表示部が設けられている請求項１〜請求項５の何れかに記載のコインランドリの洗濯装置。
【請求項８】
料金徴収機構と施錠装置とは一体化されて設けられている請求項１〜請求項５の何れかに記載のコインランドリの洗濯装置。
【発明の詳細な説明】
【技術分野】
【０００１】
この発明は、不特定の人々が利用しているコインランドリの洗濯装置に係り、特に、洗濯装置にカギを掛けれるようにすると共に、その利用者に超過金を科せれるようにし、また、差し込むカギを通じて静電気を逃がすようにしたコインランドリの洗濯装置に関するものである。
【背景技術】
【０００２】
一般に自宅に洗濯機や乾燥機を備えていない人々が多く利用するものとしてコインランドリの店舗が広く普及している。コインランドリは無人店舗も多く、管理者が常駐していなケースが多い。コインランドリでは不特定の人々に利用されている。
コインランドリでは洗濯装置内に洗濯物を入れ、また所定金額のコインをコイン投入口に入れて、洗濯装置を駆動させると、自動的に洗濯、脱水、そして乾燥まで行う。洗濯、脱水、乾燥にかかる時間は洗濯の量によっても異なるが、１〜２時間程度かかる。洗濯時間が長いため、その間、利用者はその場所を離れることが多い。
そして、洗濯が終了しているにもかかわらず、利用者が洗濯物を直ぐに取りに来ずに、洗濯装置内に終わった洗濯物がそのまま放置されていることがある。その結果、次の利用者がその洗濯装置を利用できない不便さがある。
一方、コインランドリの経営者にとっても、洗濯が完了しているにもかかわらず洗濯物を取りに来ないことは、次の利用者がその洗濯装置を使用できず、洗濯装置の稼働率が低下するという経営上の不利益が発生する。
そこで、洗濯が完了しているにもかかわらず洗濯物を取りに来ず、洗濯装置内に引き続き洗濯物が放置されている場合には、次の利用者はその洗濯装置内から洗濯物を取り出して、店舗内に装備されている保管ケースに移し替えて、洗濯するようなルールが一般的に普及してきている。
【０００３】
その一方で、洗濯装置を使用するために、洗濯が終わった他人の洗濯物を洗濯装置内から勝手に取り出して店舗内に装備されている保管ケースに安易に移し替えることに抵抗を感じる人も多い。同様に、洗濯が終わった洗濯物を他人に勝手に触られることに拒否反応を示す人も多く、トラブルの発生の原因にもなりやすい。洗濯物が女性の下着の場合には特にそうである。
また、洗濯が終わった他人の洗濯物を洗濯装置内から勝手に取り出せることは、洗濯物の盗難を招きやすく、特に女性の下着の盗難を招きやすい。このため、無人店舗においては盗難防止のための監視カメラが設置されている所が多いが、あくまで心理的な牽制的な効果しかなく、実際に洗濯物の盗難が行われる場合には阻止することができない。
この対策として、無人店舗のコインランドリの洗濯装置にカギを掛けれるようにすることが考えられる。
【特許文献１】特開２００３−３０７４３
【発明の開示】
【発明が解決しようとする課題】
【０００４】
しかしながら、洗濯装置にカギを掛けれるようにすると、洗濯が終わった洗濯物を他人に勝手に触られたり、洗濯物が盗難にあうのを確実に防止でき、これらの心理的な牽制のための監視カメラの設置を不要にできる一方で、洗濯が終わったにもかかわらずカギをかけたままで洗濯物を取りに来ない人がいると、従来と異なり、次の利用者はその洗濯装置内から洗濯物を取り出して、店舗内に装備されている保管ケースに移し替えて、洗濯装置を使用することもできず、コインランドリの経営者にとっても洗濯装置の稼働率が低下して経営上の不利益が生じるという新たな問題を生じることになる。
また、洗濯装置にカギを掛けれるようにしていても、カギを掛け忘れて洗濯する人やカギを掛けずに洗濯する人も考えられ、この場合には、洗濯が終わった洗濯物を他人に勝手に触られたり、洗濯物が盗難にあうという問題を引き続き有することになり、このようなために監視カメラを引き続き設置しておく必要が生じ、その結果、保守管理コストの削減が十分に計れない。
さらに、最近の洗濯装置は乾燥機能まで備えたものが多く、特に乾燥する冬場においては乾燥された洗濯物を洗濯装置から取り出す際に乾燥した洗濯物からの静電気攻撃を受けることもあり、静電気による不快感を思うと洗濯装置から洗濯物を簡単に取り出すのも心理的に容易でない。
【０００５】
この発明は、上記のような課題に鑑み、その課題を解決すべく創案されたものであって、その目的とするところは、洗濯装置にカギを掛けれるようにし、その利用者に超過金を科せれるようにし、差し込むカギを通じて静電気を逃がすことにより、洗濯物の盗難等を防ぎ、利用者による洗濯物の早期回収を促し、冬場の静電気の影響を小さくでき、しかもカギを掛けれるようにしたことでコインランドリの経営者が不利益を招くこともないコインランドリの洗濯装置を提供することにある。
【課題を解決するための手段】
【０００６】
以上の目的を達成するために、請求項１の発明は、コインランドリに設置されて使用され料金徴収機構を備えた洗濯装置の洗濯物の出し入れ口を開閉する開閉蓋にカギを使用する施錠装置を設けると共に、当該施錠装置は、カギを差し込むカギ穴と、洗濯終了後から一定時間経過後は所定の超過金を支払い且つカギによる解錠操作で開閉蓋の施錠状態を解除する超過金解錠機構とを備えた手段よりなるものである。
【０００７】
また、以上の目的を達成するために、請求項２の発明は、コインランドリに設置されて使用され料金徴収機構を備えた洗濯装置の洗濯物の出し入れ口を開閉する開閉蓋にカギを使用する施錠装置を設けると共に、当該施錠装置は、カギを差し込むカギ穴と、洗濯終了後から一定時間経過後は所定の超過金を支払い且つカギによる解錠操作で開閉蓋の施錠状態を解除する超過金解錠機構と、料金支払い後のカギによる施錠操作で洗濯装置の電源を入れる施錠電源入力機構とを備えた手段よりなるものである。
【０００８】
また、以上の目的を達成するために、請求項３の発明は、コインランドリに設置されて使用され料金徴収機構を備え且つ少なくとも乾燥機能を備えた洗濯装置の洗濯物の出し入れ口を開閉する開閉蓋にカギを使用する施錠装置を設けると共に、当該施錠装置は、カギを差し込むカギ穴と、洗濯終了後から一定時間経過後は所定の超過金を支払い且つカギによる解錠操作で開閉蓋の施錠状態を解除する超過金解錠機構と、乾燥時に生じる洗濯装置内の静電気をカギによる解錠操作時にカギ穴に差し込まれる導電性のカギを通じて外部に放出する静電気放出機構とを備えた手段よりなるものである。
【０００９】
また、以上の目的を達成するために、請求項４の発明は、コインランドリに設置されて使用され料金徴収機構を備え且つ少なくとも乾燥機能を備えた洗濯装置の洗濯物の出し入れ口を開閉する開閉蓋にカギを使用する施錠装置を設けると共に、当該施錠装置は、カギを差し込むカギ穴と、洗濯終了後から一定時間経過後は所定の超過金を支払い且つカギによる解錠操作で開閉蓋の施錠状態を解除する超過金解錠機構と、料金支払い後のカギによる施錠操作で洗濯装置の電源を入れる施錠電源入力機構と、乾燥時に生じる洗濯装置内の静電気をカギによる解錠操作時にカギ穴に差し込まれる導電性のカギを通じて外部に放出する静電気放出機構とを備えた手段よりなるものである。
【発明の効果】
【００１０】
以上の記載より明らかなように、請求項１〜請求項４の発明に係るコインランドリの洗濯装置によれば、カギを掛けれるようにしたことにより、洗濯が終わった洗濯物を他人に勝手に触られたり、洗濯物が盗難にあうのを確実に防止することができ、洗濯物が他人に触られたり盗難にあうのを牽制するための監視カメラの設置を不要にでき、又このための監視要員を不要にでき、その結果、保守管理コストを低減することができる。
しかも、洗濯が終わって一定時間内に洗濯装置の開閉蓋を開けないと、利用者には超過金が科せられるため、直ぐに洗濯物を取りに来るようになって洗濯物の早期回収を利用者に促すことになり、洗濯装置の稼働率が低下するのを回避することが可能となる。
また、洗濯が終わって一定時間内に洗濯装置の開閉蓋を開けないと、利用者には超過金が科せられるため、洗濯終了後一定時間を過ぎても洗濯物を取りに来ず洗濯装置が非稼働状態になっても、コインランドリの経営者には稼働に見合った超過金の収入が期待できるため、経営上の不利益を受けることもない。
さらに、利用者にとっては、所用で洗濯が終わっても直ぐに洗濯物を取りに行くことができない場合、その間は洗濯物が他人に触れられたり盗難にあうこともなく、しかも、超過金を払えばよいので、洗濯装置を長い時間占有することで他の利用者に迷惑をかけるという心理的な負い目を感じることもない。
このように、洗濯装置にカギを掛けれるようにしてその利用者に超過金を科せるようにすることにより、洗濯物の盗難等を防ぎ、その一方で利用者による洗濯物の早期回収を促し、しかもカギを掛けれるようにしたことが洗濯装置の稼働率の低下の原因となることもなく、コインランドリの経営者には洗濯装置にカギを掛けれる構造にすることが促進され、また、不特定の利用者にとっては利用するコインランドリの安全性が高められることになる。
【００１１】
また、請求項２の発明に係るコインランドリの洗濯装置によれば、前記の共通の効果に加えて、カギを掛けないと洗濯装置の電源が入らず洗濯が行われないので、カギの掛け忘れを確実に防ぐことができると共に、超過金の支払いを嫌ってわざとカギを掛けない人が出てくるのも確実に防ぐことができる。このように、洗濯装置にカギを掛けないことによって生じるトラブルの発生を確実に防ぐことができるので、このための監視カメラの設置を不要にでき、又このための監視要員を不要にでき、その結果、保守管理コストを低減することができる。
【００１２】
また、請求項３の発明に係るコインランドリの洗濯装置によれば、前記の共通の効果に加えて、洗濯の終わった洗濯物を洗濯装置から取り出すために、カギをカギ穴に差し込んで解錠する際に、導電性のカギをカギ穴に差し込むことにより、洗濯装置内の静電気は導電性のカギを握る接触面積が拡大した複数指を通じて利用者に流れる。つまり、洗濯装置内の洗濯物に帯電した静電気は接触面積が飛躍的に拡大した複数の指を通じて利用者に流れるため、従来のような洗濯物の一部に触れる点接触のときに受ける静電気による影響を非常に小さくすることができ、特に静電気が発生しやすい乾燥する冬場において、乾燥された洗濯物を洗濯装置から取り出す際の静電気による不快感を解消することができる。
【００１３】
また、請求項４の発明に係るコインランドリの洗濯装置によれば、前記の共通の効果、前記請求項２の特有の効果及び前記請求項３の特有の効果を奏するので、つまり、洗濯装置にカギを掛けれるようにしてその利用者に超過金を科せるようにし、差し込むカギを通じて静電気を逃がすようにすることにより、洗濯物の盗難等を防ぎ、利用者による洗濯物の早期回収を促し、冬場の静電気の影響を小さくでき、しかもカギを掛けれるようにしたことで洗濯装置の稼働率の低下の原因となることもなく、コインランドリの経営者には洗濯装置にカギを掛けれる構造にすることが促進され、また、不特定の利用者にとっては利用するコインランドリの安全性が高められることになる等、極めて新規的有益なる効果を奏するものである。
【００１４】
また、請求項５の場合には、洗濯及び脱水機能がなく乾燥機能のみを備えた洗濯装置についても、そのまま適用することができる。
【００１５】
また、請求項６のように、超過金の金額を表示する超過金表示部が設けられている場合には、超過時間による超過金の金額をコインランドリに備えられている説明書などで調べることなく、簡単に知ることができる。
【００１６】
また、請求項７のように、超過時間を表示する超過時間表示部が設けられている場合には、超過時間による超過金の金額の設定を装置の大幅な改造を伴うことなく行うことができ、設置場所に応じた超過金の柔軟な価格設定を簡単に行うことができる。
【００１７】
また、請求項８のように、料金徴収機構と施錠装置とが一体化されて設けられている場合には、別々に設ける場合に比べて部品数や取り付けスペースを少なくでき、その分コンパクト化できる。
【発明を実施するための最良の形態】
【００１８】
以下、図面に記載の発明を実施するための最良の形態に基づいて、この発明をより具体的に説明する。
ここで、図１はコインランドリの洗濯装置の概略図、図２はコインランドリの洗濯装置のブロック図、図３はコインランドリの洗濯装置の静電気放出機構の概要図である。
【００１９】
図において、コインランドリに設置されて使用される洗濯装置１は、カギａを掛けることができ、また、その利用者が洗濯終了後の一定時間経過しても洗濯物を取りに来ない場合には超過金を課すことができる構造を少なくとも備えている。さらに、この洗濯装置１は、カギａを掛けることで電源が入り、つまりカギａを掛けないと電源が入らずに洗濯ができず、また、差し込むカギａを通じて静電気を逃がすことができる構造が必要に応じて付加されている。
【００２０】
この洗濯装置１には、洗濯機能と脱水機能のみを備えた装置、洗濯機能と脱水機能及び乾燥機能を備えた装置、又は特殊なものとして乾燥機能のみを備えた装置、のいずれもが含まれるものである。洗濯装置１が洗濯機能と脱水機能のみを備えた装置の場合には、上記の差し込むカギａを通じて静電気を逃がす構造は付加されない。静電気の発生のおそれがないからである。静電気は乾燥機能を有する場合に発生するからである。
【００２１】
洗濯装置１の中央には開閉蓋１１が設けられている。開閉蓋１１は洗濯物の出し入れ口を開閉する蓋で、開閉蓋１１の一端側は例えば蝶番などにより洗濯物の出し入れ口の周縁にヒンジ構造で開閉自在に連結されている。開閉蓋１１の他端側には洗濯物の出し入れ口の周縁の例えば受け部に係合する突部が形成されていて、開閉蓋１１の他端側の突部が出し入れ口の周縁の受け部に係合することで、開閉蓋１１は閉じられて開かない構造になっている。
【００２２】
洗濯装置１の開閉蓋１１の外周側の適当な箇所には料金徴収機構２が備えられている。料金徴収機構２には、硬貨を受け付ける硬貨投入口のみを備えた構造、これに紙幣も受け付ける紙幣投入口を備えた構造、これらに釣り銭などの返却口を備えた構造、また、カードによる支払いを考慮してカード読み取り機を備えた構造、さらに携帯電話の決済機能を利用して携帯電話決済機能読み取り機を備えた構造などが含まれる。料金徴収機構２を通じて所定の料金が徴収されない場合には、洗濯装置１を作動させる制御機構は機能しない構造になっている。
【００２３】
洗濯装置１にはこれを作動させるための洗濯制御機構１２が備えられている。洗濯制御機構１２には、例えば電源スイッチ、洗濯脱水用スイッチ、乾燥用スイッチがある。いずれも例えば押しボタンから構成されている。洗濯装置１が乾燥機能を備えていない場合には乾燥用スイッチは省略される。逆に洗濯装置１が乾燥機能のみを備えている場合には洗濯脱水用スイッチは省略される。洗濯制御機構１２の操作はいたって簡単で、電源スイッチ、洗濯脱水用スイッチ、乾燥用スイッチを押すのみでスイッチが入り、洗濯が終了すると各スイッチはスイッチオン状態が自動的に解除される。
【００２４】
洗濯装置１には、洗濯物の出し入れ口を開閉する開閉蓋１１にカギａを使用する施錠装置３が設けられている。施錠装置３は、カギａを差し込むカギ穴４と、洗濯終了後から一定時間経過後は所定の超過金を支払い且つカギａによる解錠操作で開閉蓋１１の施錠状態を解除する超過金解錠機構５とを備えている。
【００２５】
洗濯装置１は、このカギａを使用する施錠装置３によって、カギａを掛けることができる構造になっている。施錠装置３は開閉蓋１１の突部側又はその出し入れ口の周縁の受け部側にその制御盤が設けられている。施錠装置３の制御盤の表面にはカギａを差し込むカギ穴４が設けられている。
【００２６】
また、施錠装置３は、カギ穴４と超過金解錠機構５の他に、必要に応じて、料金支払い後のカギａによる施錠操作で洗濯装置１の電源を入れる施錠電源入力機構６と、乾燥時に生じる洗濯装置１内の静電気をカギａによる解錠操作時にカギ穴４に差し込まれる導電性のカギａを通じて外部に放出する静電気放出機構７とを備えることがある。前述したように、洗濯装置１が洗濯機能と脱水機能のみを備えた装置の場合には、静電気が生じないため、施錠装置３は静電気放出機構７を有しない。
【００２７】
カギａを使用する施錠装置３は、例えば時計回りの位置で説明すると、カギ穴４にカギａを差し込んでこれを例えば１２時の位置から１時の位置に少し回転させることで開閉蓋１１を施錠し、反対に１時の位置から１２時の位置に逆回転させることで開閉蓋１１を解錠する構造になっている。
【００２８】
また、カギ穴４は、例えば時計の１時の位置で洗濯終了後から一定時間経過後の超過時間に入ると、カギ回転ロック機能が働いて時計の１時の位置の開閉蓋１１の施錠位置から１２時の位置の開閉蓋１１の解錠位置に回転できなくなる構造になっている。
【００２９】
この超過時間中に所定の超過金が支払われるとカギａ回転ロック機能が解除されて、カギ穴４に差し込んだカギａを時計の１時の位置の開閉蓋１１の施錠位置から１２時の位置の開閉蓋１１の解錠位置に回転でき、これにより開閉蓋１１を解錠できて、開閉蓋１１を開けて内部の洗濯物を取り出すことが可能となる。
【００３０】
また、カギ穴４に差し込まれているカギａは、例えば時計の１時の位置の開閉蓋１１の施錠位置でカギ出入ロック機能が解除されてカギ穴４から抜き取ったり差し込むことができるようになっている。その反対に、カギ穴４に差し込まれているカギａは、例えば時計の１２時の位置の開閉蓋１１の解錠位置でカギ出入ロック機能が働いてカギ穴４から抜き取ることができない構造になっている。
【００３１】
施錠装置３の超過金解錠機構５は、超過金徴収機構５を通じて所定の超過金が徴収された場合、前記のカギａを差し込んだカギ穴４のカギ回転ロック機能を解除する働きを果たす。その一方で、施錠装置３の超過金解錠機構５は、超過金徴収機構５を通じて所定の超過金が徴収されない場合、前記のカギａを差し込んだカギ穴４のカギ回転ロック機能を解除せずにロック状態を維持する機能を果たす。
【００３２】
つまり、施錠装置３の超過金解錠機構５の機能により、カギ穴４のカギ回転ロック機能を解除した場合には開閉蓋１１を解錠して内部の洗濯物を取り出すことができる一方で、カギ穴４のカギ回転ロック機能を解除しない場合には開閉蓋１１を解錠できず、従って内部の洗濯物を取り出すことができないことになる。
【００３３】
施錠装置３の制御盤にはカギ穴４の例えば上側には超過金の金額を表示する超過金表示部５１と超過時間を表示する超過時間表示部５２の双方又はいずれかの一方が設けられている。図面では超過金表示部５１と超過時間表示部５２の双方が上下に設けられている。利用者はこの超過金表示部５１と超過時間表示部５２を見ることで、洗濯終了後の一定時間の例えば３０分からどれくらい超過しているのか、その超過時間を知ることができ、又これに対応する超過金の金額を知ることができる。
【００３４】
さらに、前記の料金徴収機構２と一体型でない施錠装置３の制御盤には、超過金徴収機構５が別に設けられる。なお、前記の料金徴収機構２と施錠装置３とが一体化されたものにあっては、料金徴収機構２が超過金徴収機構５も兼ねた構造になっていて、料金徴収機構２は次に述べる超過金徴収機構５の特徴の機能をそのまま兼ねる。
【００３５】
超過金徴収機構５には、硬貨を受け付ける硬貨投入口のみを備えた構造、これに紙幣も受け付ける紙幣投入口を備えた構造、これらに釣り銭などの返却口を備えた構造、また、カードによる支払いを考慮してカード読み取り機を備えた構造、さらに携帯電話の決済機能を利用して携帯電話決済機能読み取り機を備えた構造などが含まれる。
【００３６】
施錠装置３の施錠電源入力機構６は必要に応じて設けられるもので、料金支払い後にカギａをカギ穴４に差し込んでカギａを掛ける方向に回すカギａによる施錠操作で洗濯装置１の電源を入れる機能を果たす。つまり、カギａによる施錠操作を行わないと洗濯装置１の電源が入らず、洗濯を行うことができない。施錠装置３の施錠電源入力機構６の働きにより、カギａのかけ忘れを確実に防ぐことが可能となる。
【００３７】
洗濯が終了すると洗濯装置１の電源は自動的に解除され、洗濯終了後の電源を切るためのカギａによる解錠操作は不要であるが、洗濯の途中にカギａによる解錠操作を行った場合には安全を図るために電源を切って洗濯装置１を止める構造になっている。施錠装置３にこの施錠電源入力機構を６備えている場合には前述の洗濯制御機構１２の電源スイッチは省略される。
【００３８】
施錠装置３の静電気放出機構７は必要に応じて設けられるもので、乾燥時に生じる洗濯装置１内の静電気をカギａによる解錠操作時にカギ穴４に差し込まれる導電性のカギａを通じて外部に放出する機能を果たす。洗濯物を乾燥機能で乾燥すると静電気が発生し易く、特に冬場には顕著である。静電気放出機構７は乾燥機能で乾燥された洗濯物を洗濯装置１から取り出す際の静電気による不快感を解消するものである。施錠装置３の静電気放出機構７は洗濯装置１が乾燥機能を備えていない場合には省略される。
【００３９】
施錠装置３に静電気放出機構７を備えている場合には、カギａには導電性の材質が使用される。カギａの差し込み部分及びカギａを指を掴む部分は導電性の材質で構成され、しかも電通状態になっていて、カギａの差し込み部分からカギａを指を掴む部分に電気が流れるようになっている。なお、静電気放出機構７を備えていない場合には、カギａは導電性でなくてもよい。
【００４０】
静電気放出機構７は、これを構成する静電気放出導電線７１の一端がカギ穴４の内部に接続されていて、カギａをカギ穴４に差し込むと、静電気放出導電線７１の一端は差し込まれたカギａの一部と接触する位置に取り付けられている。この静電気放出導電線７１の他端はカギａをカギ穴４に差し込むと、乾燥された洗濯物が入った導電性の洗濯槽１３に接触、或いは洗濯槽内の乾燥された洗濯物に接触する構造になっている。
【００４１】
次に、上記発明を実施するための最良の形態の構成に基づくコインランドリの洗濯装置の使用方法について以下説明する。
洗濯装置１の開閉蓋１１を開け、洗濯物を洗濯装置１の内部に入れ、又洗剤を入れて、開閉蓋１１を閉める。これと相前後して料金徴収機構２を通じて所定の料金を払う。料金の支払いは硬貨や紙幣を硬貨投入口又は紙幣投入口に入れたり、カード、或いは決済機能のある携帯電話などを読み取り機により読み取らせることにより行われる。
【００４２】
このとき、洗濯装置１の施錠装置３のカギ穴４ｂにはカギａが差し込まれており、洗濯制御機構１２の洗濯脱水用スイッチ及び乾燥用スイッチを押す。なお、洗濯装置１を利用して洗濯物の乾燥のみを行う場合には乾燥用スイッチのみを押す。またこれと相前後してカギａを例えば時計回りの位置で説明すれば１２時から１時の方向に回して施錠して、カギａをカギ穴４から抜き取る。
【００４３】
洗濯装置１は、カギａを掛けないと電源が入らないので、カギａのかけ忘れをすることがない。また、カギａは料金徴収機構２を通じて所定の料金を支払わないとカギ出入ロック機能及びカギ回転ロック機能が働いて、開閉蓋１１を施錠したり、カギ穴４からカギａを抜き取ることはできない。このため、カギａを盗まれることがない。
【００４４】
このように、カギａを掛けることにより、コインランドリから離れても洗濯装置１内の洗濯物を他人に触られたり盗まれたりすることがなく、洗濯中は安心してコインランドリから離れて自分の用事を済ませることができる。
【００４５】
洗濯終了後、コインランドリを離れて用事を済ませた後に再び戻ったときに超過時間の例えば３０分を過ぎている場合には、超過時間表示部５２には超過時間が表示され、また超過金表示部５１には超過時間に応じた超過金が表示される。超過金表示部５１がない場合には、超過時間表示部５２に表示された超過時間から店内に表示又は置かれている超過時間と超過金の対応関係を示す超過料金表から超過金を調べる。
【００４６】
利用者はこの超過金表示部５１に表示された超過金又は超過料金表から調べた超過金を支払うとカギ回転ロック機能が解除され、カギａをカギ穴４に差し込んで例えば時計回りの位置で説明すれば１時から１２時の方向に回すと解錠され、開閉蓋１１を開いて洗濯装置１の内部から洗濯及び乾燥された洗濯物を取り出して、回収することができる。
【００４７】
これに対して、利用者はこの超過金表示部５１に表示された超過金又は超過料金表から調べた超過金を支払わないで、カギａをカギ穴４に差し込んで解錠しようとしてもカギ回転ロック機能が働いてカギａは回らず、その結果、開閉蓋１１を開けることができず、洗濯装置１内の洗濯物を取り出して回収することができない。
【００４８】
また、特に冬場の静電気が発生し易い季節にあっては、洗濯装置１で乾燥させると内部の洗濯物に静電気が発生するが、洗濯の終わった洗濯物を洗濯装置から取り出すために、カギａをカギａ穴に差し込むと、洗濯槽１３又は乾燥した洗濯物に帯電した静電気は接触した静電気放出導電線７１の他端から当該導電線７１を流れ静電気放出導電線７１の一端から、カギ穴４に差し込まれたカギａを握る接触面積が拡大した複数指を通じて利用者に流れる。
【００４９】
つまり、洗濯装置１内の洗濯物に帯電した静電気は接触面積が飛躍的に拡大した複数の指を通じて利用者に流れるため、従来のような洗濯物の一部に触れる点接触のときに受ける静電気による影響を非常に小さくすることができる。このため、静電気を心配することなく、安心して洗濯装置１から洗濯物を取り出すことができる。
【００５０】
なお、この発明は上記発明を実施するための最良の形態に限定されるものではなく、この発明の精神を逸脱しない範囲で種々の改変をなし得ることは勿論である。
【図面の簡単な説明】
【００５１】
【図１】この発明を実施するための最良の形態を示すコインランドリの洗濯装置の概略図である。
【図２】この発明を実施するための最良の形態を示すコインランドリの洗濯装置のブロック図である。
【図３】この発明を実施するための最良の形態を示すコインランドリの洗濯装置の静電気放出機構の概要図である。
【符号の説明】
【００５２】
１    洗濯装置
１１    開閉蓋
１２    洗濯制御機構
１３    洗濯槽
２    料金徴収機構
３    施錠装置
４    カギ穴
５    超過金解錠機構
５１    超過金表示部
５２    超過時間表示部
６    施錠電源入力機構
７    静電気放出機構
７１    静電気放出導電線
ａ    カギ
【図１】
2008113879.tif 000003
【図２】
2008113879.tif 000004
【図３】
2008113879.tif 000005